(57)【特許請求の範囲】
【請求項１】
箱状本体内に、熱交換器と、前記熱交換器からの凝縮水を収受する上部ドレンパンと、前記熱交換器へ送風するための送風機とが配備され、前記熱交換器を通過後の空気が前記箱状本体の下面から吹き出されるようになっていて、前記箱状本体が、基台周枠と、前記基台周枠に立設される少なくとも３本の支柱と、前記支柱間に被設されるパネル体と、前記基台周枠内に設置される下部ドレンパンとから構成された空気調和装置の室内機において、
前記支柱の下端部を前記基台周枠の内周面の内方に配置するとともに、前記基台周枠の内周面と前記支柱との間に所定寸法の隙間を設けたことを特徴とする空気調和装置の室内機。
【請求項２】
支柱の下端部を下部ドレンパンの周壁の内方に配置したことを特徴とする請求項１に記載の空気調和装置の室内機。
【請求項３】
基台周枠の内周面と支柱との間に所定寸法の隙間を生じさせるスペーサ部材を、前記基台周枠の内周面に取り付け、前記スペーサ部材の内面に柱支持部材を取り付け、前記柱支持部材に前記支柱を垂直に立設したことを特徴とする請求項２に記載の空気調和装置の室内機。
【請求項４】
支柱を柱支持部材よりも幅広の板材で構成し、前記柱支持部材の側方位置にある前記支柱の下部に、下部ドレンパンの周壁の内方に向かって傾斜した導水用傾斜部を設け、前記柱支持部材の上方となる位置の支柱に、前記導水用傾斜部に向けて水を導く導水部材を設けたことを特徴とする請求項３に記載の空気調和装置の室内機。
【発明の詳細な説明】
【技術分野】
【０００１】
この発明は、例えば電算機や通信機器が配備された室内に設置されて好適な空調を行なう、床置き下吹出し型の室内機を有する空気調和装置に関するものである。
【背景技術】
【０００２】
一般に電算機や通信機器が配備されている部屋では、建物の床の上方に、前記の電算機などが設置される中空床が敷き詰められたフリーアクセスフロアが設けられており、このフリーアクセスフロアの中は配線などを収容する空間となっている。
【０００３】
前記のような部屋に配備される空気調和装置の室内機は、基台周枠と、基台周枠に立設される複数の支柱と、支柱間に被設されるパネル体と、基台周枠内に設置される下部ドレンパンとから構成された箱状本体を備えている。下部ドレンパンは箱状本体内の下部に凝縮水などが落下した場合でも機外に漏水させないようにするものである。箱状本体内には、送風機と、冷媒回路の熱交換器と、熱交換器からの凝縮水を受ける上部ドレンパンが配備されている。そして、中空床上に設置された空気調和装置の室内機は、熱交換器で冷却した冷却空気を箱状本体底面の吹出し口から下方空間内に吹き出し、空間内の冷却空気は電算機や通信機器の内部に流入して発熱部品を冷却したのちに室内に吹き出され、室内機の吸込み口に戻るようになっている。
【０００４】
このような従来の室内機では、図８に示すように、下部ドレンパン９が基台周枠８内の上面８Ｂに設置され、基台周枠８の内周面８Ａに柱支持部材１３３が固定されていて、基台周枠８の最上面８Ｃに載置された支柱６が柱支持部材１３３の外面１３３Ａに当接して固定されている。すなわち、下部ドレンパン９の外方に支柱６が配置されている構造である。この室内機では、基台周枠８の最上面８Ｃにシール材３０を貼って、支柱６の外側面６Ａからの水滴を、シール材３０と支柱６との間の隙間３１を経て下部ドレンパン９に導水するようになっている。また、飛散したり飛び跳ねて支柱やパネル体に付着した熱交換器からの凝縮水を下部ドレンパンへ導水するために、パネル体の下部先端部が下部ドレンパン内に曲げ入れられている。
【０００５】
【特許文献１】特開平７−２３９１３２号公報
【発明の開示】
【発明が解決しようとする課題】
【０００６】
ところで、上記したような空気調和装置の床置き下吹出し型の室内機では、機外に凝縮水が漏水すると、前述した設置環境の特殊性から甚大な問題となるため、厳しい漏水対策が要求される。すなわち、室内機からは凝縮水や結露水を一滴たりとも下方空間へ排出しない構造でなければならない。
そこで、従来の室内機では、支柱と基台周枠の最上面に安価で加工性のよいシール材を貼り付けるようにしているが、製作上、貼り付け位置が大きくバラついたり、貼り付けに時間がかかったりするという問題があった。
また、シール材は、室内機組立時に支柱を設置する際に部品のエッジ部などで破損しやすく、前述のように貼り付け位置が大きくバラつくことがあるため、凝縮水などが基台周枠の下部ドレンパンの外側に流出してしまうと言う問題もあった。
因みに、パネル体は結露防止対策として断熱材が積層されているが、多数の部品が取り付けられる支柱に断熱材を貼設することは現実的でない。
【０００７】
一方で、上記の特許文献１に記載された空気調和装置の室内機のように、ドレンパンの周壁上面の幅を箱状本体内面に貼られた断熱材の下面の幅よりも小さくすることにより、それぞれの間に段部を形成し、更にドレンパンの周壁上面をドレンパン内に向かって低くなる傾斜面とすることにより箱状本体の内側に付着した凝縮水などをドレンパン内に導くようにした技術も知られている。しかしながら、この技術は支柱に関する課題を有するものでない。
【０００８】
この発明は、上記のような問題点を解決するためになされたもので、箱状本体内で発生した結露水や熱交換器からの凝縮水がパネル体や支柱に付着しても下部ドレンパン内に確実に導いて機外に排出させない空気調和装置の室内機を得ることを目的とする。
【課題を解決するための手段】
【０００９】
この発明に係る空気調和装置の室内機は、箱状本体内に、熱交換器と、熱交換器からの凝縮水を収受する上部ドレンパンと、熱交換器へ送風するための送風機とが配備され、熱交換器を通過後の空気が箱状本体の下面から吹き出されるようになっていて、箱状本体が、基台周枠と、基台周枠に立設される少なくとも３本の支柱と、支柱間に被設されるパネル体と、基台周枠内に設置される下部ドレンパンとから構成された空気調和装置の室内機において、支柱の下端部を基台周枠の内周面の内方に配置するとともに、基台周枠の内周面と支柱との間に所定寸法の隙間を設けたものである。
【発明の効果】
【００１０】
この発明の空気調和装置の室内機は、箱状本体を構成する基台周枠内に下部ドレンパンを設置し、支柱の下端部を基台周枠の内周面の内方に配置し、基台周枠の内周面と支柱との間に所定寸法の隙間を設けたので、支柱やパネル体に付着した凝縮水や結露水を基台周枠の上面に到達させることなく、下部ドレンパン内に確実に導くことができる。従って、室内機製品の機外漏水への安全性を高めることができる。また、従来のようにシール材自体およびシール材の貼り付け作業を必要としない。
【発明を実施するための最良の形態】
【００１１】
実施の形態１．
以下、この発明の実施の実態を図面を参照して説明する。図１はこの発明の実施形態１における空気調和装置の床置き下吹出し型の室内機を一部分解した状態の外観図である。
図において、この実施形態における空気調和装置の室内機は、電算機や通信機器が配備された室内の中空床上に設置される床置き下吹出し型のユニットであって、箱状本体Ｃを備えている。箱状本体Ｃ内には、箱状本体Ｃ上部の吸込み口から室内空気を冷却する冷媒回路の熱交換器４と、熱交換器４からの凝縮水を収受する上部ドレンパン１０と、熱交換器４への送風用の送風機５と、送風機５を駆動するモータ１１とが配備されている。この室内機は、制御箱１および端子箱３の電気回路でモータ１１を制御し送風機５を駆動させて、箱状本体Ｃ上部の吸込み口から室内空気を箱内に吸い込み、熱交換器４で冷却した空気を箱状本体Ｃの下面から中空床下方の空間に吹き出すようになっている。下方空間に流入した冷却空気は電算機や通信機器などの内部を通って発熱部品を冷却したのち、室内に吹き出される。
【００１２】
前記の箱状本体Ｃは、平面視で矩形のリングフレーム状に形成された基台周枠８と、基台周枠８の四隅に立設された４本の支柱６，６，６，６と、支柱６，６間に被設されるパネル体７，７，７，・・・・と、基台周枠８内に設置される受け皿状の下部ドレンパン９とから構成されている。パネル体７は箱状本体Ｃの正面左右に各１枚、左右側面に各１枚、背面に３枚の計７枚が使用されている。図２〜図４に示すように、下部ドレンパン９は基台周枠８内に上面８Ｂに支持されて点付溶接部Ｄ，Ｄ，Ｄ，・・・の位置で溶接固定されている。下部ドレンパン９の四隅部は切り欠かれていて、基台周枠８の内周面８Ａおよび中段の上面８Ｂが露出している。これら下部ドレンパン９の切り欠き縁部と基台周枠８の内周面８Ａおよび上面８Ｂとの間は水密溶接部Ｍ（各図中、波線で示す部分）として水封されている。また、下部ドレンパン９には熱交換器４で冷却された冷却空気を下方に吹き出すための吹出し口２０が形成されている。この構成において、支柱６の下端部６Ｂは、基台周枠８の内周面８Ａの内方、すなわち下部ドレンパン９の周壁９Ａの内方に配置されている。基台周枠８の内周面８Ａと支柱６の外側面６Ａとの間には隙間Ｓが形成されている。
【００１３】
上記した箱状本体Ｃ内での結露は、主に熱交換器４、パネル体７、支柱６の各表面で発生する。そして、熱交換器４からの凝縮水の露飛びは、熱交換器４の近傍に配備されたサブドレンパンを上部ドレンパンと併用する方式で従来より対処されている。また、パネル体７への結露は、パネル体７の下部を下部ドレンパン９の内方まで曲げ入れて下部ドレンパン９内に結露水を導くようにして対処されている。そして、支柱６には、自身の機内側の内側面６Ｃで生成した凝縮水と、パネル体７で生成して機内の風向きにより流れてきた凝縮水とが付着する。
【００１４】
しかしながら、上記のように、支柱６の設置位置を下部ドレンパン９内に配置し、基台周枠８の内周面８Ａと支柱６の外側面６Ａを当接させることなく、その間に隙間Ｓを設けたことで、凝縮水を基台周枠８の最上面８Ｃに到達させることなく下部ドレンパン９内に滴下させることができ、従来のようにシール材を用いることなく、機外への漏水を防止できる。
【００１５】
ところで、図１に示したように、支柱６は室内機全体を支える部品であるため、支柱６が構造物を支える水平な設置面に対して垂直に設置されることと、従来と同等以上の剛性を持つことが、製品として必須となる。そこで、この室内機では、図５〜図７に示すようなスペーサ部材１２を使用している。スペーサ部材１２は例えば平面視Ｌ字状に形成されていて、基台周枠８、支柱６または下部ドレンパン９を成す板金と同じ材質で構成されている。
まず、スペーサ部材１２が基台周枠８の内周面８Ａにあてがわれる。更に、スペーサ部材１２の内面１２Ａに柱支持部材１３があてがわれる。そして、スペーサ部材１２および柱支持部材１３が溶接のために基台周枠８にビス１８で位置決めされ溶接で一体に固着される。柱支持部材１３の外面１３Ａには、ボルト穴１９を通したボルト１６と、柱支持部材１３に溶接付けされている固定ナット１７との螺合により、支柱６が垂直に立設された状態で固定される。また、スペーサ部材１２は基台周枠８の内周面８Ａと支柱６の外側面６Ａとの間に隙間Ｓを生じさせる。
【００１６】
このスペーサ部材１２は、柱支持部材１３を垂直に設置し、支柱６と基台周枠８との隙間Ｓを設けるための部品である。従って、支柱６からの凝縮水が基台周枠８の最上面８Ｃに乗らないよう、スペーサ部材１２は十分な隙間Ｓが形成するための幅寸法Ａ１を有し、かつ、柱支持部材１３を垂直に立てるための高さ寸法Ｂ１を有している。上記した、支柱６と基台周枠８との間の十分な隙間Ｓとは、支柱６に沿って滴下する凝縮水が飛び跳ねたりしても基台周枠８の最上面８Ｃに乗ることのない隙間寸法Ａを有し、かつ、凝縮水がその表面張力によりスペーサ部材１２の上面から乗り越えて基台周枠８の最上面８Ｃに到達することのない十分な高さ関係の寸法Ｂを有するものである。
【００１７】
このように、支柱６を垂直に配置するとともに剛性を得るために、基台周枠８と柱支持部材１３との間に、これら双方に当接させた状態でスペーサ部材１２を介在させることで、柱支持部材１３が剛性部品である基台周枠８にスペーサ部材１２を介して固定され、また柱支持部材１３は垂直に配置される。それにより、箱状本体Ｃは構造物としての剛性を保持することができる。
【００１８】
一方で、上記のように、基台周枠８と支柱６との隙間関係の条件を満たすスペーサ部材１２を用いたとしても、万が一隙間Ｓにゴミや埃などが大量に溜まると、その影響で十分に排水ができなくなるおそれがある。そこで、図５〜図７に示した支柱６が使用される。この支柱６は平面視で略Ｌ字状に形成されていて、柱支持部材１３よりも幅広の鋼板材で構成されている。柱支持部材１３の側方位置にある支柱６の下部の両側には、下部ドレンパン９の周壁９Ａの内方に向かって傾斜した導水用傾斜部１５，１５が例えば支柱６本体から切り起こして形成されている。この場合、支柱６本体に対し導水用傾斜部１５は上記の切り起こしなどように一体に構成されていてよいし、別部品として溶接などで取り付けられても構わない。また、柱支持部材１３の上方となる位置の支柱６に、導水用傾斜部１５に水を導く導水部材１４が固設されている。この導水部材１４は例えば鋼板製であり支柱６の内面に溶接などで固着されていて、支柱６の両側縁部に向かってそれぞれ下向きに傾斜した正面視への字形状に形成されている。
【００１９】
上記した構成によれば、支柱６の内側面６Ｃに付着して滴下してくる凝縮水が導水部材１４により支柱６の両側エッジ部に案内されるので、隙間Ｓ内に落下する凝縮水の量を減らすことが可能となる。また、柱支持部材１３、固定ナット１７、ボルト１６に凝縮水が向かわないので、錆や腐食の発生および成長を抑制して箱状本体Ｃの高い剛性を長期間維持できるという利点もある。
【図面の簡単な説明】
【００２０】
【図１】この発明の実施形態１における空気調和装置の床置き下吹出し型の室内機を一部分解した状態の外観図である。
【図２】前記室内機の基台周枠、下部ドレンパン、および支柱を示す平面図である。
【図３】図２におけるＨ矢視部の平面拡大図である。
【図４】図２におけるＩ矢視部の拡大斜視図である。
【図５】図１におけるＦ矢視部を示す部分斜視図である。
【図６】前記室内機の要部の分解斜視図である。
【図７】図５におけるＧ矢視断面図である。
【図８】従来の空気調和装置の床置き下吹出し型の室内機の基台周枠と下部ドレンパンと支柱とからなる構造を示す側断面図である。
【符号の説明】
【００２１】
４  熱交換器、５  送風機、６  支柱、６Ｂ  下端部、７  パネル体、８  基台周枠、８Ａ  内周面、９  下部ドレンパン、９Ａ  周壁、１０  上部ドレンパン、１２  スペーサ部材、１２Ａ  内面、１３  柱支持部材、１４  導水部材、１５  導水用傾斜部、２０  吹出し口、Ａ  寸法、Ｃ  箱状本体、Ｓ  隙間。
【図１】
0005106215.tif 000002
【図２】
0005106215.tif 000003
【図３】
0005106215.tif 000004
【図４】
0005106215.tif 000005
【図５】
0005106215.tif 000006
【図６】
0005106215.tif 000007
【図７】
0005106215.tif 000008
【図８】
0005106215.tif 000009